(57)【要約】      （修正有）【課題】配管部材を保持させる作業を容易に行い得る保持具を提供すること。【解決手段】保持具１は、Ｌ字形状の本体３とベルト４と抜け止め部材５とを備え、ヘッダー１０１を施工面２において保持するためのものである。本体３において前記Ｌ字形状を構成する第一直線状部６には、保持具１を施工面２に対して取り付けるための取付孔９が設けられている。本体３において第一直線状部６とで前記Ｌ字形状を構成する第二直線状部７には、第一直線状部６との連結部分の付近にベルト４の基端４ａが固定されている。第二直線状部７においてベルト４の基端４ａよりも先端側の位置には挿通孔が貫通形成されている。第二直線状部７にヘッダー１０１が載置された状態で、挿通孔にベルト４の先端４ｂが挿入されて抜け止め部材５によって抜け止めされることで、第二直線状部７とベルト４とで構成される環が閉じられ、当該環内にヘッダー１０１を保持する。【選択図】図６
2019100374.tif 000002
【特許請求の範囲】
【請求項１】
Ｌ字形状の本体とベルトと抜け止め手段とを備え、配管部材を施工面において保持するために用いられる保持具であって、前記本体において前記Ｌ字形状を構成する第一直線状部には、前記保持具を前記施工面に対して取り付けるための取付部が設けられ、当該本体において当該第一直線状部とで前記Ｌ字形状を構成する第二直線状部には、前記第一直線状部との連結部分の付近に前記ベルトの基端が固定され、当該第二直線状部において前記ベルトの基端よりも先端側の位置には挿通孔が貫通形成されており、当該第二直線状部に前記配管部材が載置された状態で、当該挿通孔に前記ベルトの先端が挿入されて前記抜け止め手段によって抜け止めされることで、前記第二直線状部と前記ベルトとで構成される環が閉じられて、当該環内に前記配管部材を保持する保持具。
【発明の詳細な説明】
【技術分野】
【０００１】
本発明は、ヘッダー等の配管部材を施工面において保持するために用いられる保持具に関する。
【背景技術】
【０００２】
特許文献１には、ホース固定バンドが開示されている。また、特許文献２には、配管部材の保持に流用可能と思われる、バンドタイプのワイヤハーネス係止用クリップが開示されている。
【先行技術文献】
【特許文献】
【０００３】
【特許文献１】実開昭５８−００２４８２号公報
【特許文献２】特開平１１−０８２８１５号公報
【発明の概要】
【発明が解決しようとする課題】
【０００４】
ところが、特許文献１の技術においては、壁面等に固定されたホース固定バンドに対してホースを保持させる場合、バンド片の先端を壁面等の側へと引っ張り出す必要があった。また、特許文献２の技術においては、車体パネルに固定されたワイヤハーネス係止用クリップに対してワイヤハーネスを保持させる場合、ワイヤハーネスと車体パネルとの間からバンドの先端を引っ張り出す必要があった。つまり、何れの技術においても、狭い空間での面倒な作業をともなうことになっていた。
本発明の目的は、配管部材を保持させる作業を容易に行い得る保持具を提供すること。
【課題を解決するための手段】
【０００５】
上記の目的を達成するために請求項１の発明は、Ｌ字形状の本体とベルトと抜け止め手段とを備え、配管部材を施工面において保持するために用いられる保持具であって、前記本体において前記Ｌ字形状を構成する第一直線状部には、前記保持具を前記施工面に対して取り付けるための取付部が設けられ、当該本体において当該第一直線状部とで前記Ｌ字形状を構成する第二直線状部には、前記第一直線状部との連結部分の付近に前記ベルトの基端が固定され、当該第二直線状部において前記ベルトの基端よりも先端側の位置には挿通孔が貫通形成されており、当該第二直線状部に前記配管部材が載置された状態で、当該挿通孔に前記ベルトの先端が挿入されて前記抜け止め手段によって抜け止めされることで、前記第二直線状部と前記ベルトとで構成される環が閉じられて、当該環内に前記配管部材を保持する。
【発明の効果】
【０００６】
上記構成の請求項１の発明によれば、施工面に対して取り付けられた保持具に配管部材を保持させる際には、ベルト挿通孔へ挿入されたベルトの先端を挿通孔から引っ張り出す作業がともなう。しかし、当該作業は、本体の第二直線状部に対して配管部材とは反対側においてなおかつ、施工面に沿う方向へと行われることになる。つまり、当該作業においては、挿通孔が施工面から遠い位置に設定されていることも相俟って、施工面が邪魔になり難いし、また施工面と配管部材との間からベルトの先端を引っ張り出す必要もない。
【図面の簡単な説明】
【０００７】
【図１】保持具本体の左側面図。
【図２】保持具本体の正面図。
【図３】保持具本体の背面図。
【図４】保持具本体の平面図。
【図５】保持具本体の底面図。
【図６】施工面に取り付けた状態での保持具の断面図。
【図７】保持具がヘッダーを保持する状態を示す平面図。
【発明を実施するための形態】
【０００８】
以下、本発明を具体化した一実施形態について図面を参照しつつ説明する。
図７に示すように、配管部材としてのヘッダー１０１は、給水給湯配管の主管２０１を、各末端水栓（図示しない）へとつながる複数の枝管２０２に分岐させるために用いられるものである。ヘッダー１０１は、主管２０１が挿入接続される流入口部１０１ａと、枝管２０２が挿入接続される複数の分岐口１０１ｂとを備えている。ヘッダー１０１は、床下や壁内において、コンクリート面や当木などの施工面２に対して固定されている。このヘッダー１０１の固定に、本実施形態の保持具１が用いられる。
【０００９】
図６に示すように、保持具１は、側面視でＬ字形状をなす本体３と、本体３に基端４ａが固定された可撓性を有するベルト４と、ベルト４に係止する構造を有する抜け止め手段としての抜け止め部材５とを備えている。
【００１０】
図１〜図６に示すように、本体３は、矩形平板状をなす第一直線状部６と、同じく矩形平板状をなす第二直線状部７とを有している。互いに垂直な位置関係を有する第一直線状部６と第二直線状部７とで、本体３のＬ字形状が構成されている。第一直線状部６には複数（本実施形態においては２つ）の取付孔８が貫通形成されている。
【００１１】
図６に示すように、第二直線状部７において、第一直線状部６との連結部分付近には、ベルト４の基端４ａが固定されている。第二直線状部７においてベルト４の基端４ａよりも先端側の位置には、挿通孔１１Ａ,１１Ｂが貫通形成されている。挿通孔１１Ａ,１１Ｂは、第二直線状部７の長手方向に所定の間隔で複数（本実施形態においては挿通孔１１Ａと挿通孔１１Ｂの２つ）が設けられている。
【００１２】
図３及び図６に示すように、ベルト４は、ポリエチレン等の合成樹脂により、本体３と一体成形されている。ベルト４の一方の面には係止部４ｄが設けられている。係止部４ｄは、ベルト４の長手方向に複数の歯が所定間隔で配置されてなり、当該歯はベルト４の先端４ｂ付近にまで形成されている。
【００１３】
図６に示すように、抜け止め部材５は四角筒状をなしており、ポリエチレン等の合成樹脂により一体成形されている。抜け止め部材５は、内部に可撓性を有する係止爪５ａを備えている。抜け止め部材５に挿入されたベルト４は、当該挿入方向へは抜け止め部材５に対して相対移動は可能であるが、抜け出し方向へは係止部４ｄと係止爪５ａとの一方向作用によって、抜け止め部材５に対して相対移動は不可能である。
【００１４】
図７に示すように、ヘッダー１０１の施工面２への固定には、保持具１を複数（本実施形態においては２つ）用いている。複数の保持具１は、図７の紙面表裏方向への互いの位置合わせがされた後、取付孔８を介してビス９を打ち込むことで、施工面２に対して固定されている。この状態において複数の保持具１は、第二直線状部７の一面である載置面７ａが相互に同一仮想平面上に位置することとなり、この複数の載置面７ａに跨ってヘッダー１０１が載せ置かれる。
【００１５】
複数の保持具１の載置面７ａ上にヘッダーが載せ置かれた状態にて、各保持具１のベルト４を、ヘッダー１０１において隣接する分岐口１０１ｂ間に巻き掛けるとともに、ベルト４の先端４ｂを対応する挿通孔１１Ａへと挿入する。なお、図７の態様においては、ヘッダー１０１の寸法に対応して、ベルト４の基端４ａから遠い方の挿通孔１１Ａを利用しているが、巻き掛け部分の外径の小さい別の配管部材（図示しない）であれば、基端４ａに近い方の挿通孔１１Ｂを利用してもよい。
【００１６】
図６に示すように、挿通孔１１Ａへ挿入されたベルト４の先端４ｂは、第二直線状部７において載置面７ａとは反対側の背面７ｂから突出し、当該突出部分に抜け止め部材５が装着される。抜け止め部材５が装着されたベルト４は、抜け止め部材５が第二直線状部７の背面７ｂに当接することで、挿通孔１１Ａからの抜け止めがなされている。この状態で、第二直線状部７とベルト４とで構成される環が閉じられることになる。
【００１７】
抜け止め部材５が装着された状態にて、さらに各ベルト４を引っ張って抜け止め部材５に対して相対移動させることで、対応する第二直線状部７とベルト４とで構成される環が縮径されて、当該環内にヘッダー１０１が適度な締付力によって保持される。
【００１８】
このように、施工面２に対して取り付けられた保持具１にヘッダー１０１を保持させる際には、載置面７ａ側から挿通孔１１Ａへ挿入されたベルト４の先端４ｂを、挿通孔１１Ａから背面７ｂ側へと引っ張り出す作業がともなう。しかし、当該作業は、保持具１の第二直線状部７に対してヘッダー１０１とは反対側においてなおかつ、施工面２に沿う方向へと行われることになる。つまり、当該作業においては、挿通孔１１Ａが施工面２から遠い位置に設定されていることも相俟って、施工面２が邪魔になり難いし、また施工面２とヘッダー１０１との間からベルト４の先端を引っ張り出す必要もない。
【００１９】
＜変形例＞
なお、本発明は、例えば次の態様でも実施可能である。
○抜け止め部材５を削除するとともに、各挿通孔１１Ａ，１１Ｂ内に、抜け止め部材５の係止爪５ａと同様の構造を設けて抜け止め手段とすること。
【符号の説明】
【００２０】
１…保持具、２…施工面、３…本体、４…ベルト、４ａ…ベルトの基端、４ｂ…ベルトの先端、５…抜け止め手段としての抜け止め部材、６…第一直線状部、７…第二直線状部、９…取付部としての取付孔、１１…挿通孔、１０１…配管部材としてのヘッダー。
【図１】
2019100374.tif 000003
【図２】
2019100374.tif 000004
【図３】
2019100374.tif 000005
【図４】
2019100374.tif 000006
【図５】
2019100374.tif 000007
【図６】
2019100374.tif 000008
【図７】
2019100374.tif 000009